(57)【要約】【課題】  清掃能力を低下させることなく、使用する洗浄水を少量にして運転中の洗浄水の交換作業を省略させる。【解決手段】  メダル搬送路の途中位置にメダルｍを上下から押圧しながら送り出す一対の吸水性の清掃ローラ１１を設け、清掃ローラ１１の下部と接して洗浄水Ｗを毛細管現象により清掃ローラ１１へ給水して湿らせる毛束１５を設け、洗浄水Ｗを貯水した貯水タンク１６を毛束１５の下部が浸漬できる位置に設け、清掃ローラ１１を駆動させる駆動手段を設け、湿らせた清掃ローラ１１でメダルｍを拭うようにして油脂等の汚れを清掃できるようにした。【選択図】  図１
2007296181.tif 000002
【特許請求の範囲】
【請求項１】
メダル搬送路の途中位置にメダルの上下面を押圧しながら搬送方向へ送り出す一対の吸水性の清掃ローラを設け、下側の清掃ローラの下部と接して洗浄水を毛細管現象により清掃ローラへ給水して湿らせる給水部材を設け、洗浄水を貯水した貯水タンクを給水部材の下部が浸漬できる位置に設け、清掃ローラを駆動させる駆動手段を設け、少量の洗浄水で湿らせた清掃ローラでメダルを拭うようにして汚れを清掃できるようにしたことを特徴とする、メダル清掃装置。
【請求項２】
給水部材が、多数本の線材を束ねて構成した毛束である、請求項１記載のメダル清掃装置。
【請求項３】
清掃ローラと給水部材との間に吸水性の中間ローラをそれぞれが接する位置に介在し、給水部材からの洗浄水を中間ローラでさらに微量にして清掃ローラへ給水できるようにした、請求項１又は２記載のメダル清掃装置。
【請求項４】
メダル搬送路の途中位置にメダルの上下面を押圧しながら搬送方向へ送り出す一対の吸水性の清掃ローラを設け、下側の清掃ローラの下部と接して洗浄水を段階的に少量にして清掃ローラへ給水して湿らせる複数の給水ローラを設け、洗浄水を貯水した貯水タンクを少なくとも最下段の給水ローラが浸漬できる位置に設け、清掃ローラと給水ローラを駆動させる駆動手段を設け、少量の洗浄水で湿らせた清掃ローラでメダルを拭うようにして汚れを清掃できるようにしたことを特徴とする、メダル清掃装置。
【請求項５】
貯水タンクを複数の給水ローラが浸漬できる深さに形成し、最下段の給水ローラを貯水タンクの底面付近に配置した、請求項４記載のメダル清掃装置。
【請求項６】
給水ローラが、硬質の材料で構成され、ローラ面に微細な溝を多数形成したものである、請求項４又は５記載のメダル清掃装置。
【請求項７】
メダル搬送路の清掃ローラより上流位置にメダルを一対のブラシ盤で研磨するメダル研磨部を設けた、請求項１〜６いずれか記載のメダル清掃装置。
【発明の詳細な説明】
【技術分野】
【０００１】
本発明は、スロットマシン等の遊技に使用されるメダルの清掃装置に関する。
【背景技術】
【０００２】
従来、メダル洗浄研磨装置が特許文献１で開示されている。この技術は、図６に示すように、上下のブラシ盤２２間にメダルｍを洗浄水Ｗとともに送り込みながら回転させ、回転と遠心力によりメダルｍを洗浄研磨しながら円周方向へ移行させ、メダルｍに付着している洗浄水Ｗを吸水ローラ２３で吸水して排出させるようにした構造を特徴としている。図中、２１はメダル投入口、２４は吸水ローラ２３が吸水した洗浄水Ｗを絞り出す絞りローラ、２５は貯水タンク、２６は洗浄水Ｗを送り出すポンプである。
【０００３】
ところで、前記技術では洗浄水Ｗの循環機器を必要として装置が大型複雑化し、運転中は汚染された洗浄水Ｗを交換する作業が必要であった。また、洗浄水Ｗを用いない乾式の装置では、除去した汚れがメダルｍに付着し易く、清掃能力に劣る問題があった。
【特許文献１】特開２００５−３２８８９２号公報
【発明の開示】
【発明が解決しようとする課題】
【０００４】
本発明が解決しようとする課題は、従来のこれらの問題点を解消し、清掃能力を低下させることなく、使用する洗浄水を少量にして運転中の洗浄水の交換作業を省略できる小型簡易構造のメダル清掃装置を提供することにある。
【課題を解決するための手段】
【０００５】
かかる課題を解決した本発明の構成は、
１）  メダル搬送路の途中位置にメダルの上下面を押圧しながら搬送方向へ送り出す一対の吸水性の清掃ローラを設け、下側の清掃ローラの下部と接して洗浄水を毛細管現象により清掃ローラへ給水して湿らせる給水部材を設け、洗浄水を貯水した貯水タンクを給水部材の下部が浸漬できる位置に設け、清掃ローラを駆動させる駆動手段を設け、少量の洗浄水で湿らせた清掃ローラでメダルを拭うようにして汚れを清掃できるようにしたことを特徴とする、メダル清掃装置
２）  給水部材が、多数本の線材を束ねて構成した毛束である、前記１）記載のメダル清掃装置
３）  清掃ローラと給水部材との間に吸水性の中間ローラをそれぞれが接する位置に介在し、給水部材からの洗浄水を中間ローラでさらに微量にして清掃ローラへ給水できるようにした、前記１）又は２）記載のメダル清掃装置
４）  メダル搬送路の途中位置にメダルの上下面を押圧しながら搬送方向へ送り出す一対の吸水性の清掃ローラを設け、下側の清掃ローラの下部と接して洗浄水を段階的に少量にして清掃ローラへ給水して湿らせる複数の給水ローラを設け、洗浄水を貯水した貯水タンクを少なくとも最下段の給水ローラが浸漬できる位置に設け、清掃ローラと給水ローラを駆動させる駆動手段を設け、少量の洗浄水で湿らせた清掃ローラでメダルを拭うようにして汚れを清掃できるようにしたことを特徴とする、メダル清掃装置
５）  貯水タンクを複数の給水ローラが浸漬できる深さに形成し、最下段の給水ローラを貯水タンクの底面付近に配置した、前記４）記載のメダル清掃装置
６）  給水ローラが、硬質の材料で構成され、ローラ面に微細な溝を多数形成したものである、前記４）又は５）記載のメダル清掃装置
７）  メダル搬送路の清掃ローラより上流位置にメダルを一対のブラシ盤で研磨するメダル研磨部を設けた、前記１）〜６）いずれか記載のメダル清掃装置
にある。
【発明の効果】
【０００６】
本発明によれば、給水部材又は給水ローラで洗浄水を必要最低量にして清掃ローラへ給水し、湿らせた一対の清掃ローラでメダルを上下から押圧して摩擦と少量の洗浄水で油脂等の汚れを拭うように清掃して送り出す。したがって、従来のように洗浄水の循環機器を必要とせず装置を小型簡易化でき、汚染された洗浄水の交換作業を省略できる。また、除去された汚れは洗浄水を含んだ清掃ローラに吸着されてメダルに付着し難く、乾式の装置と比較して清掃能力が高い。
【発明を実施するための最良の形態】
【０００７】
本発明の給水部材としては、ナイロン等の合成樹脂の線材を多数本束ねた毛束や吸水性に優れた布材等、吸水した洗浄水が毛細管現象で容易に移行できる材料が用いられる。給水部材の長さは清掃ローラの大きさや清掃ローラまでの距離、送り出す洗浄水の量に応じて選定される。給水方向は清掃ローラの下方又は上方あるいは横方向からでもよく、装置の構造に応じて選定される。清掃ローラや中間ローラ、給水ローラとしては、連続気泡を備えた発泡合成樹脂や吸水性の布材を巻き付けたものが用いられ、油脂等の拭き取り性に優れたものが望ましい。特に給水ローラとして硬質のプラスチック等で構成し、ローラ面に微細な溝を多数形成したものを用いると、汚れにくく耐久性に優れるとともに、溝の幅及び深さを変更することでローラ面が平坦なものと比較して給水量を容易に調整できるので好ましい。洗浄水としては水又は水に洗浄液を適量混合したものが用いられる。以下、本発明の各実施例を図面に基づいて具体的に説明する。
【実施例１】
【０００８】
図１〜３に示す実施例１は、清掃ローラへの給水手段して毛束を用い、清掃ローラの上流位置にメダル研磨部を一体的に設けたメダル清掃装置の例である。図１は実施例１のメダル清掃装置の縦断面図、図２は実施例１のメダル清掃装置の分解斜視図、図３は実施例１の清掃ローラと毛束の斜視図である。
【０００９】
図中、１はメダル清掃装置、２はメダル投入口、３は上側ブラシ盤、３ａはブラシ毛、４は下側ブラシ盤、４ａはブラシ毛、４ｂは軟質シート、５は筒体、５ａはメダル排出路、６はメダル搬送路、７はメダル排出口、８は回転軸、８ａは従動ローラ、９はモータ、９ａは駆動ローラ、１０は駆動ベルト、１１は清掃ローラ、１１ａはギヤ、１２は中間ローラ、１２ａはギヤ、１２ｂは小ギヤ、１３は駆動チェーン、１４はモータ、１４ａは駆動ギヤ、１５は毛束（給水部材）、１５ａは取付具、１６は貯水タンク、ｍはメダル、Ｗは洗浄水である。
【００１０】
実施例１のメダル清掃装置１は、図１に示すように上部にすり鉢状のメダル投入口２を備え、メダル投入口２の下端に上側ブラシ盤３を固定し、上側ブラシ盤３の直下に下側ブラシ盤４を回転自在に配置し、上側ブラシ盤３と下側ブラシ盤４の周囲及び底部を覆う筒体５を設け、筒体５の底面を穿孔して回転軸８を配置して下側ブラシ盤４と接続し、回転軸８の従動ローラ８ａとモータ９の駆動ローラ９ａとの間に駆動ベルト１０を掛架している。軟質シート４ｂはメダルｍの滑りを防止するものである。
【００１１】
筒体５の側部にはメダル排出路５ａを形成し、メダル搬送路６の途中位置に上下一対の清掃ローラ１１を搬送方向に沿って２組設け、下側の清掃ローラ１１の下方に中間ローラ１２を清掃ローラ１１の下部と接するように設け、底部に毛束１５を取付具１５ａで植毛した貯水タンク１６を毛束１５の上部が中間ローラ１２の下部と接するように設け、貯水タンク１６に洗浄水Ｗを貯水して毛束１５の下部を浸漬している。
【００１２】
清掃ローラ１１と中間ローラ１２の軸端にはギヤ１１ａ，１２ａと小ギヤ１２ｂを取り付けるとともにギヤ１１ａ，１２ａ同士を歯合し、小ギヤ１２ｂとモータ１４の駆動ギヤ１４ａとの間に駆動チェーン１３を掛架している。清掃ローラ１１と中間ローラ１２は連続気泡を備えたスポンジで構成し、毛束１５はナイロンの線材で構成している。洗浄水Ｗは水を使用している。
【００１３】
実施例１では、モータ９，１４を作動させて下側ブラシ盤４と清掃ローラ１１と中間ローラ１２を回転させる。毛束１５は毛細管現象で貯水タンク１６の洗浄水Ｗを吸水して中間ローラ１２へ給水し、中間ローラ１２は吸水した洗浄水Ｗを少量にして清掃ローラ１１へ給水して清掃ローラ１１を適度に湿らせる。なお、清掃ローラ１１が湿るまである程度時間を要するから、清掃開始までしばらく空運転する。
【００１４】
汚れたメダルｍをメダル投入口２へ投入すると、下側ブラシ盤４の回転によりメダルｍがブラシ毛３ａ，４ａで研磨されながら円周方向へ移行し、メダル排出路５ａから清掃ローラ１１方向へ排出される。研磨された汚れは下側ブラシ盤４や筒体５の底部に溜まる。このブラシ毛３ａ，４ａによる研磨は大きなゴミ・汚れは除去されるが、メダルｍの表面に付着している油脂や微細なゴミは除去が不十分な状態にある。しかし、その後本発明の要部である清掃ローラ１１が搬送された研磨済みのメダルｍを上下から押圧して摩擦と少量の洗浄水Ｗで研磨後の表面に残っている油脂や微細なゴミを拭うように確実に清掃し、メダル排出口７から排出される。
【００１５】
排出されたメダルｍの表面に洗浄水Ｗはほとんど残っておらず、その後は特に乾燥させることなく直に遊技機へ搬送できる。わずかに湿っている場合でも搬送中に早期に乾燥するから支障はない。除去された汚れは洗浄水Ｗを含んだ清掃ローラ１１に吸着され、メダルｍに付着することはない。洗浄水Ｗの消費量はおよそ１００ｃｃ／時間（メダルｍへの付着量は１枚当たり０．１ｃｃ以下）で、洗浄水Ｗの貯水量は清掃ローラ１１・中間ローラ１２・毛束１５の吸水量と運転時間（例えば１０時間）を考慮してもおよそ５〜８Ｌ程度で十分であり、洗浄水Ｗを補充することなくおよそ１２万枚のメダルｍを連続的に清掃できる。
【実施例２】
【００１６】
図４，５に示す実施例２は、清掃ローラへの給水手段して複数の給水ローラを用い、清掃ローラの上流位置にメダル研磨部を一体的に設けたメダル清掃装置の例である。図４は実施例２のメダル清掃装置の縦断面図、図５は実施例２の清掃ローラと給水ローラの斜視図である。図中、１７は給水ローラ、１７ａはギヤ、１７ｂは小ギヤ、１７ｃは溝である。
【００１７】
実施例２は、下側の清掃ローラ１１の下方に２段の給水ローラ１７を上段の給水ローラ１７が下側の清掃ローラ１１の下部と接するように設け、洗浄水Ｗを貯水した貯水タンク１６を下段の給水ローラ１７の全体が浸漬する位置に設けている。給水ローラ１７は硬質のプラスチックで構成し、ローラ面に幅及び深さが０．５〜１ｍｍの微細な溝１７ｃを２ｍｍ間隔で多数形成している。溝１７ｃの方向は、上段の給水ローラ１７は並行に形成し、下段の給水ローラ１７は交叉するように形成している。上段の給水ローラ１７の軸端にはギヤ１７ａと小ギヤ１７ｂを取り付けるとともにギヤ１１ａ，１７ａ同士を歯合し、小ギヤ１７ｂとモータ１４の駆動ギヤ１４ａとの間に駆動チェーン１３を掛架している。下段の給水ローラ１７は貯水タンク１６の側部に軸支している。
【００１８】
実施例２では、モータ９，１４を作動させて下側ブラシ盤４と清掃ローラ１１と給水ローラ１７を回転させると、下段の給水ローラ１７の表面の洗浄水Ｗが毛細管現象で上段の給水ローラ１７の溝１７ｃに吸水されて行き渡り、その洗浄水Ｗが清掃ローラ１１へ少量給水されて清掃ローラ１１を適度に湿らせる。
【００１９】
そして、実施例１と同様に清掃ローラ１１は搬送された研磨済みのメダルｍを上下から押圧して摩擦と少量の洗浄水Ｗで研磨後の表面を拭うように清掃する。貯水タンク１６の洗浄水Ｗは少しずつ減少するが、少なくとも下段の給水ローラ１７の一部が浸漬していれば毛細管現象で溝１７ｃに吸水されるから補充することなく清掃を継続できる。その他、符号、構成、作用効果は実施例１と同じである。
【産業上の利用可能性】
【００２０】
本発明のメダル清掃装置は、スロットマシン等の遊技に使用されるメダルの清掃に利用される。
【図面の簡単な説明】
【００２１】
【図１】実施例１のメダル清掃装置の縦断面図である。
【図２】実施例１のメダル清掃装置の分解斜視図である。
【図３】実施例１の清掃ローラと毛束の斜視図である。
【図４】実施例２のメダル清掃装置の縦断面図である。
【図５】実施例２の清掃ローラと給水ローラの斜視図である。
【図６】従来のメダル洗浄研磨装置の縦断面図である。
【符号の説明】
【００２２】
１  メダル清掃装置
２  メダル投入口
３  上側ブラシ盤
３ａ  ブラシ毛
４  下側ブラシ盤
４ａ  ブラシ毛
４ｂ  軟質シート
５  筒体
５ａ  メダル排出路
６  メダル搬送路
７  メダル排出口
８  回転軸
８ａ  従動ローラ
９  モータ
９ａ  駆動ローラ
１０  駆動ベルト
１１  清掃ローラ
１１ａ  ギヤ
１２  中間ローラ
１２ａ  ギヤ
１２ｂ  小ギヤ
１３  駆動チェーン
１４  モータ
１４ａ  駆動ギヤ
１５  毛束
１５ａ  取付具
１６  貯水タンク
１７  給水ローラ
１７ａ  ギヤ
１７ｂ  小ギヤ
１７ｃ  溝
２１  メダル投入口
２２  ブラシ盤
２３  吸水ローラ
２４  絞りローラ
２５  貯水タンク
２６  ポンプ
ｍ  メダル
Ｗ  洗浄水
【図１】
2007296181.tif 000003
【図２】
2007296181.tif 000004
【図３】
2007296181.tif 000005
【図４】
2007296181.tif 000006
【図５】
2007296181.tif 000007
【図６】
2007296181.tif 000008